(57)【要約】      （修正有）【課題】ダイオードの逆電流特性に基づくサージ電流による誤動作を回避し、安定して動作するフライバック充電回路を提供する。【解決手段】フライバックトランス10と、該フライバックトランスの一次側電流をＯＮ／ＯＦＦするトランジスタ９と、前記フライバックトランス二次側電流を整流するダイオード11と、整流された電流を電荷として蓄積するメインコンデンサ12と、一次側電流レベルを検出する電流電圧変換回路５と該電流電圧変換回路の出力が＋端子に入力されたコンパレータ７とからなる一次側電流検出回路16と、一次側電流レベルに基づきトランジスタのＯＦＦを制御するＯＮタイマー付き制御回路19と、制御回路のＯＵＴ端子に接続され入力Ｈレベルを所定時間経過後出力する遅延回路14と、遅延回路の出力端に入力端を接続し出力端をコンパレータの−端子に接続した基準電圧切り替え回路18とでフライバック充電回路を構成する。【選択図】図３
2005130602.tif 000002
【特許請求の範囲】
【請求項１】
フライバックトランスと、該フライバックトランスの一次側に流れる電流をＯＮ／ＯＦＦするトランジスタと、前記フライバックトランスの二次側に流れる電流を整流するダイオードと、該ダイオードにより整流された電流を電荷として蓄積するメインコンデンサと、前記フライバックトランスの一次側に流れる電流のレベルを検出する一次側電流検出回路と、該一次側電流検出回路で検出された一次側の電流レベルに基づき前記トランジスタのＯＦＦを制御する制御回路と、前記トランジスタがＯＮしてから所定時間を経過する前後において、前記トランジスタをＯＦＦする一次側の検出電流レベルの条件を調整するレベル調整手段とを有することを特徴とするフライバック充電回路。
【請求項２】
フライバックトランスと、該フライバックトランスの一次側に流れる電流をＯＮ／ＯＦＦするトランジスタと、前記フライバックトランスの二次側に流れる電流を整流するダイオードと、該ダイオードにより整流された電流を電荷として蓄積するメインコンデンサと、前記フライバックトランスの一次側に流れる電流のレベルを検出する一次側電流検出回路と、該一次側電流検出回路で検出された一次側の電流レベルに基づき前記トランジスタのＯＦＦを制御する制御回路と、前記トランジスタがＯＮしてからサージ電流が生じる時間を含む所定時間を経過する前は、前記トランジスタをＯＦＦしないようにする遅延手段とを有することを特徴とするフライバック充電回路。
【請求項３】
フライバックトランスと、該フライバックトランスの一次側に流れる電流をＯＮ／ＯＦＦするトランジスタと、前記フライバックトランスの二次側に流れる電流を整流するダイオードと、該ダイオードにより整流された電流を電荷として蓄積するメインコンデンサと、前記フライバックトランスの一次側に流れる電流のレベルを検出する一次側電流検出回路と、該一次側電流検出回路で検出された一次側の電流レベルに基づき前記トランジスタのＯＦＦを制御する制御回路とを有するフライバック充電回路であって、前記一次側電流検出回路は、前記フライバックトランスの一次側に流れる電流信号の高周波成分を除去した整流信号を取り出す整流回路と、該整流信号のレベルと参照レベルとを比較し、その結果を出力する比較回路とを有することを特徴とするフライバック充電回路。
【請求項４】
前記フライバックトランスの二次側に流れる電流のレベルを検出する二次側電流検出回路と、検出された二次側の電流レベルに基づきトランジスタのＯＮを制御する手段とを更に有することを特徴とする請求項１〜３のいずれか１項に係るフライバック充電回路。
【発明の詳細な説明】
【技術分野】
【０００１】
この発明は、メインコンデンサに充電を行うフライバック充電回路、特に、発光装置に用いて好適なフライバック充電回路に関する。
【背景技術】
【０００２】
従来、フライバック充電回路として、フライバックトランスの一次側に生じる電流をモニタし、一次側に生じた電流が所定のレベルに達したときに一次側への通電を停止する方式のフライバック充電回路が提案されている。例えば、特開２００２−１５１２９０号公報や特開昭５４−１４４９２２号公報において、該方式のフライバック充電回路が開示されている。図７に示す回路は、該方式のフライバック充電回路の一例であり、該回路を用いて従来の技術を説明する。
【０００３】
図７において、１はグラウンド、２は電源、３，４は基準電圧源、５，６はＩ／Ｖ変換回路、７，８はコンパレータ、９はトランジスタ、10はフライバックトランス、11はダイオード、12はメインコンデンサ、13は制御回路、16は一次電流検出回路、17は二次電流検出回路であり、Ｉ／Ｖ変換回路５とコンパレータ７とで一次電流検出回路16が構成され、Ｉ／Ｖ変換回路６とコンパレータ８とで二次電流検出回路17が構成されている。そして、電源２はフライバックトランス10の一次側を介してトランジスタ９のドレイン端子に接続され、トランジスタ９のソース端子はＩ／Ｖ変換回路５を介してグラウンド１に接続され、ダイオード11のアノード端子はフライバックトランス10の二次側とＩ／Ｖ変換回路６を介してグラウンド１に接続され、ダイオード11のカソード端子はメインコンデンサ12を介してグラウンド１に接続されている。また、Ｉ／Ｖ変換回路５の出力端子はコンパレータ７の＋端子に接続され、基準電圧源３はコンパレータ７の−端子に接続され、コンパレータ７の出力端子は制御回路13のＩＮ１端子に接続され、制御回路13のＯＵＴ端子はトランジスタ９のゲート端子に接続されている。また、Ｉ／Ｖ変換回路６の出力端子はコンパレータ８の＋端子に接続され、基準電圧源４はコンパレータ８の−端子に接続され、コンパレータ８の出力端子は制御回路13のＩＮ２端子に接続されて、フライバック充電回路が構成されている。
【０００４】
次に、まず、このように構成されているフライバック充電回路の各部の個別の動作について説明する。Ｉ／Ｖ変換回路５は、トランジスタ９のソース端子からの電流（Ｉ１）の電流レベルに比例した電位を出力し、一次電流検出回路16は、Ｉ１が所定のレベルより大きいときに論理レベル“Ｈ”を出力し、所定のレベルより小さいときに論理レベル“Ｌ”を出力する。Ｉ／Ｖ変換回路６は、トランス10への電流（Ｉ２）の電流レベルに反比例した電位を出力し、二次電流検出回路17は、Ｉ２が所定のレベルより小さいときに論理レベル“Ｈ”を出力し、所定のレベルより大きいときに論理レベル“Ｌ”を出力する。制御回路13は、充電開始時と、ＩＮ２端子からの入力信号が論理レベル“Ｌ”から論理レベル“Ｈ”に切り替わったときにＯＵＴ端子を論理レベル“Ｈ”にラッチし、ＩＮ１端子からの入力信号が論理レベル“Ｈ”のときにＯＵＴ端子を論理レベル“Ｌ”にラッチする。
【０００５】
次に、フライバック充電回路全体の充電動作について、図８に示したタイミングチャートを参照しながら説明する。充電開始前にコンパレータ７の出力は“Ｌ”，コンパレータ８の出力は“Ｈ”，制御回路13のＯＵＴ端子は“Ｌ”であり、充電開始時ｔ１に制御回路13のＯＵＴ端子は“Ｈ”となり、Ｉ１が徐々に増加してフライバックトランス10に磁気エネルギーが蓄積される。時点ｔ２において、Ｉ１が所定レベルを超えると、Ｉ／Ｖ変換回路５の出力電位レベルが基準電圧源３の出力電位レベルを超え、コンパレータ７の出力が“Ｌ”から“Ｈ”に反転し、制御回路13のＯＵＴ端子は“Ｌ”となり、Ｉ１が急減、Ｉ２が急増してコンパレータ８の出力が“Ｈ”から“Ｌ”に反転する。その後、Ｉ２が徐々に減少し、蓄積された磁気エネルギーが二次側を介して開放される。この磁気エネルギーの開放によるＩ２によって、ダイオード11を介してメインコンデンサ12に充電が行われる。その後、時点ｔ３において、Ｉ２が所定レベル以下になると、Ｉ／Ｖ変換回路６の出力電位レベルが基準電圧源４の出力電位レベルを超え、コンパレータ８の出力は“Ｌ”から“Ｈ”に反転し、制御回路13のＯＵＴ端子は“Ｈ”となり、再度磁気エネルギーが蓄積される。この動作が繰り返されることでメインコンデンサ12は所定の電圧まで充電されることになる。
【０００６】
このように、フライバックトランス10の一次側に生じる電流レベルによってトランジスタ９のＯＦＦのタイミングを制御することにより、フライバックトランス10の磁気エネルギーの蓄積量を安定させ、フライバックトランス10の磁気エネルギーの飽和や過電流によるトランジスタ９の破壊を防ぎ、エネルギー転送効率の向上と動作安全性の確保を実現できる。なお、メインコンデンサ12と並列に放電管を接続し、放電管で放電を開始させるためのトリガ回路を放電管のトリガ電極に接続することにより、カメラ等のフラッシュ発光に用いる発光装置に該フライバック充電回路を適用することができる。
【特許文献１】特開２００２−１５１２９０号公報
【特許文献２】特開昭５４−１４４９２２号公報
【発明の開示】
【発明が解決しようとする課題】
【０００７】
ところで、理想的なダイオードは、逆方向に電流が流れないことになっており、図７に示したフライバック充電回路の充電動作時の主要な端子の理想波形は図８に示したタイミングチャートのようになる。しかしながら、実際のダイオードでは、ダイオードに掛かる電圧が順方向から逆方向に変化した際、一定の時間（逆回復時間）、逆電流が流れてしまうという特性を持つため、図７に示したフライバック充電回路において、トランジスタ９がＯＮになってフライバックトランス10の一次側に電流が流れ始めた直後、一時的にダイオード11に逆電流が流れ、フライバックトランス10の二次側にも電流が流れてしまう。このとき、一次側のインダクタンスは非常に小さくなるため、一次側には瞬間的に大きな電流（サージ電流）が流れることとなり、実際の波形は図９のタイミングチャートに示すようになる。図９において、点線で囲った部分はサージ電流により影響を受けている領域を示す。このサージ電流が一次電流検出回路16で検出する所定の電流レベルを超えてしまうほど大きくなると、コンパレータ７がサージ電流によって反転し、トランジスタ９はフライバックトランス10に磁気エネルギーが蓄積される前にＯＦＦし、正常な充電動作が行われなくなる。特に、図７に示したフライバック充電回路のような、二次側の電流も検出し、二次側の電流レベルによってトランジスタのＯＮのタイミングも決めているような自励式のフライバック充電回路では、磁気エネルギーが蓄積される前にトランジスタがＯＦＦすると、二次側電流が次の磁気エネルギー蓄積の段階に移行するための電流レベルに達することができず、充電動作が途中停止してしまう危険もある。
【０００８】
このため、従来は、なるべく逆回復時間の短いダイオードを用いたり、トランジスタのＯＮスピードを抑えるなどして、サージ電流が所定の電流以下になるように調整している。しかしながら、逆回復時間の短いダイオードは一般的に逆耐圧が小さいため、発光装置の放電管を発光させるためのエネルギー蓄積を目的としたメインコンデンサへの充電など、メインコンデンサを高電圧に充電する場合には、サージ電流を十分に抑えられる逆回復時間の短いダイオードを使用することができない。また、トランジスタのＯＮスピードを抑えると、エネルギー転送効率が低下してしまう。
【０００９】
本発明は、前記問題点を解消するためなされたものであって、サージ電流による誤動作を回避し、安定して動作するフライバック充電回路を提供することを目的とする。
【課題を解決するための手段】
【００１０】
請求項１に係る発明は、フライバックトランスと、該フライバックトランスの一次側に流れる電流をＯＮ／ＯＦＦするトランジスタと、前記フライバックトランスの二次側に流れる電流を整流するダイオードと、該ダイオードにより整流された電流を電荷として蓄積するメインコンデンサと、前記フライバックトランスの一次側に流れる電流のレベルを検出する一次側電流検出回路と、該一次側電流検出回路で検出された一次側の電流レベルに基づき前記トランジスタのＯＦＦを制御する制御回路と、前記トランジスタがＯＮしてから所定時間を経過する前後において、前記トランジスタをＯＦＦする一次側の検出電流レベルの条件を調整するレベル調整手段とでフライバック充電回路を構成するものである。
【００１１】
このように構成したフライバック充電回路においては、サージ電流は、トランジスタがＯＮした直後に瞬間的に生じるため、レベル調整手段によりトランジスタがＯＮしてから所定時間を経過する前後の検出電流レベルを調整することで、サージ電流が充電動作に影響する電流レベルを独自に設定することができる。これにより、サージ電流によって大きな電流が一次側に流れてもトランジスタをＯＦＦさせず、充電動作に影響しない設定が可能となり、安定した充電動作を確保することができる。また、過大なサージ電流が生じた場合には、トランジスタをＯＦＦさせてトランジスタの破壊を防ぎ、動作安全性も確保することができる。
【００１２】
請求項２に係る発明は、フライバックトランスと、該フライバックトランスの一次側に流れる電流をＯＮ／ＯＦＦするトランジスタと、前記フライバックトランスの二次側に流れる電流を整流するダイオードと、該ダイオードにより整流された電流を電荷として蓄積するメインコンデンサと、前記フライバックトランスの一次側に流れる電流のレベルを検出する一次側電流検出回路と、該一次側電流検出回路で検出された一次側の電流レベルに基づき前記トランジスタのＯＦＦを制御する制御回路と、前記トランジスタがＯＮしてからサージ電流が生じる時間を含む所定時間を経過する前は、前記トランジスタをＯＦＦしないようにする遅延手段とでフライバック充電回路を構成するものである。
【００１３】
このように構成したフライバック充電回路においては、遅延手段によりサージ電流が生じる時間を含むトランジスタがＯＮしてから所定時間、トランジスタを強制的にＯＮに保持することにより、サージ電流による充電動作への影響をなくすことができ、安定した充電動作を確保することができる。
【００１４】
請求項３に係る発明は、フライバックトランスと、該フライバックトランスの一次側に流れる電流をＯＮ／ＯＦＦするトランジスタと、前記フライバックトランスの二次側に流れる電流を整流するダイオードと、該ダイオードにより整流された電流を電荷として蓄積するメインコンデンサと、前記フライバックトランスの一次側に流れる電流のレベルを検出する一次側電流検出回路と、該一次側電流検出回路で検出された一次側の電流レベルに基づき前記トランジスタのＯＦＦを制御する制御回路とを有するフライバック充電回路であって、前記一次側電流検出回路は、前記フライバックトランスの一次側に流れる電流信号の高周波成分を除去した整流信号を取り出す整流回路と、該整流信号のレベルと参照レベルとを比較し、その結果を出力する比較回路とを有することを特徴とするものである。
【００１５】
このように構成されたフライバック充電回路においては、トランジスタがＯＮになった直後に瞬間的に高周波数で生じるサージ電流の成分を、一次側電流検出回路に設けた整流回路を介して低減することによって、サージ電流による充電動作への影響をなくし、安定した充電動作を確保することができる。
【００１６】
請求項４に係る発明は、請求項１〜３のいずれか１項に係るフライバック充電回路において、前記フライバックトランスの二次側に流れる電流のレベルを検出する二次側電流検出回路と、検出された二次側の電流レベルに基づきトランジスタのＯＮを制御する手段とを更に有することを特徴とするものである。
【００１７】
このように構成することにより、フライバックトランスの一次側及び二次側の電流を検出し、二次側の電流レベルに基づきトランジスタのＯＮのタイミングを決め、一次側の電流レベルに基づきトランジスタのＯＦＦのタイミングを決める自励式のフライバック充電回路において、請求項１〜３のいずれかに係る発明の効果を得ることができる。
【００１８】
なお、メインコンデンサと並列に放電管を接続し、放電管で放電を開始させるためのトリガ回路を放電管のトリガ電極に接続することにより、カメラ等のフラッシュ発光に用いる発光装置に請求項１〜４のいずれか１項に係るフライバック充電回路を適用することができる。
【発明の効果】
【００１９】
本発明によれば、フライバックトランスに磁気エネルギーが所定量蓄積される前に磁気エネルギー蓄積動作を終了してしまうサージ電流が原因の誤動作を回避し、安定して動作するフライバック充電回路を提供することができる。
【発明を実施するための最良の形態】
【００２０】
次に、発明を実施するための最良の形態について説明する。
【実施例】
【００２１】
まず、本発明に係るフライバック充電回路の実施例１を図１に基づいて説明する。この実施例１は、請求項２及び請求項４に係る発明に対応する実施例であり、図１において、図７に示した従来例と対応する構成部分には同一の符号を付して示しており、その説明を省略する。図１において、14は遅延回路、15はＡＮＤ回路であり、制御回路13のＯＵＴ端子はトランジスタ９のゲート端子と遅延回路14のＩＮ端子に接続され、遅延回路14のＯＵＴ端子はＡＮＤ回路15の一方の入力端子に接続され、コンパレータ７の出力端子はＡＮＤ回路15の他方の入力端子に接続され、ＡＮＤ回路15の出力端子は制御回路13のＩＮ１端子に接続されている。
【００２２】
次に、このように構成されている実施例１の各部の個別の動作について説明する。Ｉ／Ｖ変換回路５，一次電流検出回路16，Ｉ／Ｖ変換回路６，二次電流検出回路17，制御回路13の動作は、図７に示した従来例の回路と同様である。遅延回路14は、ＩＮ端子の信号が論理レベル“Ｌ”のとき、ＯＵＴ端子から論理レベル“Ｌ”の信号を出力し、ＩＮ端子の信号が論理レベル“Ｈ”になると、所定時間( ダイオード11の逆回復時間より長い時間) 経過後に、ＯＵＴ端子から論理レベル“Ｈ”を出力するようになっている。
【００２３】
次に、上記実施例１に係るフライバック充電回路全体の動作について説明する。主要な端子のタイミングチャートを図２に示す。充電開始前にコンパレータ７の出力は“Ｌ”，コンパレータ８の出力は“Ｈ”，制御回路13及び遅延回路14のＯＵＴ端子は“Ｌ”である。充電開始時ｔ１に、制御回路13のＯＵＴ端子は“Ｈ”となり、トランジスタ９のソースからの電流Ｉ１がサージ電流によって急増し、コンパレータ７の出力は“Ｌ”から“Ｈ”に反転するが、遅延回路14の出力が“Ｌ”であるため、ＡＮＤ回路15の出力は“Ｌ”のまま変化せず、制御回路13のＯＵＴ端子も変化しない。その後、ダイオード11の逆回復時間を経過した頃にＩ１が急減し、コンパレータ７の出力が“Ｌ”に戻る。その後、Ｉ１が徐々に増加してフライバックトランス10に磁気エネルギーが蓄積され、所定時間経過後の時点ｔ１′において遅延回路14の出力は“Ｌ”から“Ｈ”に反転する。なお、図２において、点線で囲った部分はコンパレータ７の出力が制御回路13に影響しない時間を示している。
【００２４】
その後、時点ｔ２において、Ｉ１が所定レベルを超えると、Ｉ／Ｖ変換回路５の出力電位レベルが基準電圧源３の出力電位レベルを超え、コンパレータ７の出力が“Ｌ”から“Ｈ”に反転し、ＡＮＤ回路15の出力は“Ｈ”，制御回路13及び遅延回路14のＯＵＴ端子は“Ｌ”となり、Ｉ１が急減、フライバックトランス10の二次側への電流Ｉ２が急増してコンパレータ８の出力が“Ｈ”から“Ｌ”に反転する。その後、Ｉ２が徐々に減少し、蓄積された磁気エネルギーが二次側を介して開放される。この磁気エネルギーの開放によるＩ２によって、ダイオード11を介してメインコンデンサ12に充電が行われる。その後、時点ｔ３において、Ｉ２が所定レベル以下になると、Ｉ／Ｖ変換回路６の出力電位レベルが基準電圧源４の出力電位レベルを超え、コンパレータ８の出力は“Ｌ”から“Ｈ”に反転し、制御回路13のＯＵＴ端子は“Ｈ”となり、再度磁気エネルギーが蓄積される。この動作が繰り返されることでメインコンデンサ12は所定の電圧まで充電されることになる。
【００２５】
以上のように、本実施例１のフライバック充電回路によれば、サージ電流が一次電流検出回路16の検出電流レベルを超えたとしても制御回路13の動作に影響せず、フライバックトランス10に磁気エネルギーが所定量まで蓄積される前にトランジスタ９がＯＦＦしてしまう誤動作を防止することができ、安定した充電動作を確保することができる。
【００２６】
次に、本発明の実施例２を図３に基づいて説明する。この実施例２は、請求項１に係る発明に対応する実施例であり、図３において、図１に示した実施例１及び図７に示した従来例と対応する構成部分には同一の符号を付して示し、その説明を省略する。図３において、18は基準電位切り替え回路、19は内蔵したタイマーにより通電タイミングを決めるＯＮタイマー付き制御回路であり、遅延回路14のＯＵＴ端子は基準電位切り替え回路18のＩＮ端子に接続され、基準電位切り替え回路18のＯＵＴ端子はコンパレータ７の−端子に接続され、コンパレータ７の出力端子はＯＮタイマー付き制御回路19のＩＮ１端子に接続され、ＯＮタイマー付き制御回路19のＯＵＴ端子はトランジスタ19のゲート端子に接続されている。
【００２７】
次に、このように構成されている実施例２の各部の個別の動作について説明する。Ｉ／Ｖ変換回路５，一次電流検出回路16の動作は、図７に示した従来例の充電回路と同様であり、遅延回路14の動作は、図１に示した実施例１の充電回路と同様である。基準電位切り替え回路18は、遅延回路14から論理レベル“Ｈ”が出力されたときにコンパレータ７の−端子の電位を第１の基準電位に設定し、論理レベル“Ｌ”が出力されたときにコンパレータ７の−端子の電位を第１の基準電位より高い第２の基準電位に設定する。また、ＯＮタイマー付き制御回路19は、充電開始時にＯＵＴ端子を論理レベル“Ｈ”にラッチし、ＩＮ１端子からの入力信号が論理レベル“Ｌ”から論理レベル“Ｈ”に切り替わったときに、ＯＵＴ端子を“Ｌ”にラッチし、その一定時間経過後、ＯＵＴ端子を“Ｈ”にラッチする。
【００２８】
次に、上記実施例２に係るフライバック充電回路全体の動作について説明する。主要な端子のタイミングチャートを図４に示す。充電開始前にコンパレータ７の出力は“Ｌ”，制御回路19及び遅延回路14のＯＵＴ端子は“Ｌ”であり、充電開始時ｔ１にＯＮタイマー付き制御回路19のＯＵＴ端子は“Ｈ”となり、Ｉ１がサージ電流によって急増するが、基準電位切り替え回路18のＯＵＴ端子（コンパレータ７の−端子）の電位は前記第２の基準電位であり、コンパレータ７の＋端子の電位は前記第１の基準電位を超えているが、前記第２の基準電位を超えていないため、コンパレータ７の出力は反転せず、ＯＮタイマー付き制御回路19のＯＵＴ端子も変化しない。その後、ダイオードの逆回復時間を経過した頃にＩ１が急減し、その後、Ｉ１が徐々に増加してフライバックトランス10に磁気エネルギーが蓄積され、所定時間経過後の時点ｔ１′において遅延回路14の出力は“Ｌ”から“Ｈ”に反転し、コンパレータ７の−端子の電位は前記第２の基準電位から低電位の前記第１の基準電位に切り替わる。その後、時点ｔ２においてＩ１が所定レベルを超えると、Ｉ／Ｖ変換回路５の出力電圧レベルが前記第１の基準電位のレベルを超え、コンパレータ７の出力が“Ｌ”から“Ｈ”に反転すると、ＯＮタイマー付き制御回路19及び遅延回路14のＯＵＴ端子は“Ｌ”となり、Ｉ１が急減し、Ｉ２が急増する。その後、Ｉ２が徐々に減少し、蓄積された磁気エネルギーが二次側を介して開放される。この磁気エネルギーの開放によるＩ２によって、ダイオード11を介してメインコンデンサ12に充電が行われる。その後、ＯＮタイマー付き制御回路19のＯＵＴ端子が“Ｌ”となってから一定時間が経過して時点ｔ３になったとき、ＯＮタイマー付き制御回路19はＯＵＴ端子を“Ｈ”に設定し、再度磁気エネルギーを蓄積する。この動作が繰り返されることでメインコンデンサ12は所定の電圧まで充電されることになる。
【００２９】
以上のように、本実施例２のフライバック充電回路によれば、前記基準電位切り替え回路18による第２の基準電位の設定によって一次電流検出回路16がサージ電流によって応答する電流のレベルを独自に設定することができるため、サージ電流によって大きな電流が一次側に流れてもトランジスタ９をＯＦＦさせず、サージ電流が充電動作に影響しない設定が可能となり、フライバックトランス10に磁気エネルギーが所定量まで蓄積される前にトランジスタ９がＯＦＦしてしまう誤動作を防止することができ、安定した充電動作を確保することができる。また、過大なサージ電流が流れた場合でも、一次側の電流のＩ／Ｖ変換値が前記第２の電位に相当するレベルを超えると、前記一次電流検出回路16の出力が反転し、トランジスタ９をＯＦＦさせてトランジスタ９の破壊を防ぐことができ、動作安全性を確保することができる。
【００３０】
次に、本発明の実施例３を図５に基づいて説明する。この実施例は、請求項３及び請求項４に係る発明に対応する実施例であり、図５において、図１及び図３に示した実施例１及び２、並びに図７に示した従来例と対応する構成部分には同一の符号を付して示し、その説明を省略する。図５において、20は抵抗、21は容量、22は整流回路であり、抵抗20及び容量21で整流回路22が構成され、Ｉ／Ｖ変換回路５とコンパレータ７と整流回路と22で一次電流検出回路16が構成されている。そして、Ｉ／Ｖ変換回路５の出力端子は抵抗20の一端に接続され、抵抗20の他端は容量21の一端とコンパレータ７の＋端子に接続され、容量21の他端はグラウンド１に接続されている。
【００３１】
次に、このように構成されている実施例３の各部の個別の動作について説明する。Ｉ／Ｖ変換回路５，制御回路13，Ｉ／Ｖ変換回路６，二次電流検出回路17の動作は、図１に示した実施例１と図７に示した従来例と同様である。一次電流検出回路16は、フライバックトランス10の一次側に流れる電流（Ｉ１）をＩ／Ｖ変換回路５でＩ／Ｖ変換し、その信号を整流回路22を介して整流した整流信号が、所定のレベルより大きいときに論理レベル“Ｈ”を出力し、所定のレベルより小さいときに論理レベル“Ｌ”を出力する。
【００３２】
次に、上記実施例３に係るフライバック充電回路全体の動作について説明する。主要な端子のタイミングチャートを図６に示す。充電開始前にコンパレータ７の出力は“Ｌ”，コンパレータ８の出力は“Ｈ”，制御回路13のＯＵＴ端子は“Ｌ”であり、充電開始時ｔ１に制御回路13のＯＵＴ端子は“Ｈ”となり、Ｉ１がサージ電流によって急増し、その後、ダイオード11の逆回復時間を経過した頃に急減するが、このサージ電流による一次電流の信号成分は高周波成分なので、整流回路22において低減され、コンパレータ７の出力は反転せず、制御回路13のＯＵＴ端子も変化しない。その後、Ｉ１が徐々に増加してフライバックトランス10に磁気エネルギーが蓄積される。その後、時点ｔ２においてＩ１が所定レベルを超えるとコンパレータ７の出力が“Ｌ”から“Ｈ”に反転し、制御回路13のＯＵＴ端子は“Ｌ”となり、Ｉ１が急減、Ｉ２が急増してコンパレータ８の出力が“Ｈ”から“Ｌ”に反転する。その後、Ｉ２が徐々に減少し、蓄積された磁気エネルギーが二次側を介して開放される。この磁気エネルギーの開放によるＩ２によって、ダイオード11を介してメインコンデンサ12に充電が行われる。その後、時点ｔ３においてＩ２が所定レベル以下になると、コンパレータ８の出力は“Ｌ”から“Ｈ”に反転し、制御回路13のＯＵＴ端子は“Ｈ”となり、再度磁気エネルギーが蓄積される。この動作が繰り返されることでメインコンデンサ12は所定の電圧まで充電されることになる。
【００３３】
以上のように、本実施例３のフライバック充電回路によれば、サージ電流の成分を整流回路22で低減し、検出しないようにすることができるため、サージ電流による誤動作を防止し、安定した充電動作を確保することができる。
【図面の簡単な説明】
【００３４】
【図１】本発明に係るフライバック充電回路の実施例１の構成を示すブロック構成図である。
【図２】図１に示した実施例１の動作を説明するためタイミングチャートである。
【図３】本発明の実施例２の構成を示すブロック構成図である。
【図４】図３に示した実施例２の動作を説明するためタイミングチャートである。
【図５】本発明の実施例３の構成を示すブロック構成図である。
【図６】図５に示した実施例３の動作を説明するためタイミングチャートである。
【図７】従来のフライバック充電回路の構成例を示すブロック構成図である。
【図８】図７に示した従来例の動作を説明するためタイミングチャートである。
【図９】図７に示した従来例において、サージ電流による誤動作が発生する態様を示す説明図である。
【符号の説明】
【００３５】
１  グラウンド
２  電源
３，４  基準電圧源
５，６  Ｉ／Ｖ変換回路
７，８  コンパレータ
９  トランジスタ
10  フライバックトランス
11  ダイオード
12  メインコンデンサ
13  制御回路
14  遅延回路
15  ＡＮＤ回路
16  一次電流検出回路
17  二次電流検出回路
18  基準電位切り替え回路
19  ＯＮタイマー付き制御回路
20  抵抗
21  容量
22  整流回路
【図１】
2005130602.tif 000003
【図２】
2005130602.tif 000004
【図３】
2005130602.tif 000005
【図４】
2005130602.tif 000006
【図５】
2005130602.tif 000007
【図６】
2005130602.tif 000008
【図７】
2005130602.tif 000009
【図８】
2005130602.tif 000010
【図９】
2005130602.tif 000011